(57)【要約】【課題】ポイントカードと携帯端末装置との両方を選択的に利用可能なポイント管理装置を提供する。【解決手段】ポイントの管理を行うポイント管理装置１は、ポイントカード１０の読み書きを行うサーマルヘッド１０６及び磁気ヘッド１０７を備える本体１００と、本体１００に接続され、非接触で携帯端末装置２０と情報の授受を行う無線リーダライタ２００とを備え、本体１００は、サーマルヘッド１０６及び磁気ヘッド１０７と無線リーダライタ２００とのいずれを用いるのかを切り換える切り換えスイッチ１０３ｂを備える。【選択図】図２
2014010518.tif 000002
【特許請求の範囲】
【請求項１】
ポイントの管理を行うポイント管理装置であって、
ポイントカード用の固有の情報を読み取るカード用リーダを備える本体と、
前記本体に内蔵又は接続され、非接触で非接触通信媒体と情報の授受を行う無線リーダと、
を備え、
前記本体は、前記カード用リーダと前記無線リーダとのいずれを用いるのかを切り換える切り換え手段を備えること、
を特徴とするポイント管理装置。
【請求項２】
請求項１に記載のポイント管理装置において、
前記切り換え手段は、
前記カード用リーダを用いるときに操作されるカード用リーダ選択スイッチと、
前記カード用リーダ選択スイッチとは独立して設けられ、前記無線リーダを用いるときに操作される無線リーダ選択スイッチと、
を備えること、
を特徴とするポイント管理装置。
【請求項３】
請求項２に記載のポイント管理装置において、
前記カード用リーダ選択スイッチ及び前記無線リーダ選択スイッチは、選択された状態において発光するように発光手段を備えること、
を特徴とするポイント管理装置。
【請求項４】
請求項３に記載のポイント管理装置において、
前記カード用リーダ選択スイッチ及び前記無線リーダ選択スイッチは、データのやり取りを行っている状態において、前記発光手段が点滅すること、
を特徴とするポイント管理装置。
【請求項５】
請求項１から請求項４までのいずれか１項に記載のポイント管理装置において、
前記本体は、情報の表示を行う表示部を有し、
前記表示部は、前記切り換えスイッチの切り換えの状態を表示すること、
を特徴とするポイント管理装置。
【発明の詳細な説明】
【技術分野】
【０００１】
本発明は、商品やサービスの購買金額に応じて付与されるポイントを管理するポイント管理装置に関するものである。
【背景技術】
【０００２】
従来から、商品やサービスの購買金額に応じてポイントを付与し、そのポイントを一定の割合で購買金額に充てることができたり、所定のポイント毎に商品券等と交換できたりする、いわゆるポイントサービスが行われている。
従来、このポイントサービスには、リライトカードが用いられていた（例えば、特許文献１）。リライトカードをポイントカードとして利用することにより、カード上に現在のポイントやポイントの有効期限等を消去、書き換えることができる。よって、リライトカードを用いるポイントサービスは、多くの利用者にとって分かりやすく、簡単に利用可能なサービスである。
【０００３】
一方、スマートフォン等に代表される多機能の携帯端末装置が普及するにしたがい、携帯端末装置を利用したポイントサービスが試行されている。携帯端末装置を利用することにより、現在のポイントやポイントの有効期限等のデータを携帯端末装置に送信して表示させることができ、上記リライトカードを用いる場合と同様なサービスを提供できる。また、携帯端末装置を用いる場合には、メール配信サービス等、さらなるサービスを付加することも容易であるという利点がある。
【先行技術文献】
【特許文献】
【０００４】
【特許文献１】特開２００２−２５９９３５号公報
【発明の概要】
【発明が解決しようとする課題】
【０００５】
しかし、携帯端末装置は、全ての顧客が所有しているものではない。したがって、携帯端末装置のみのポイントサービスとしてしまうと、当該ポイントサービスを利用できない顧客が多数発生してしまうという問題があった。
【０００６】
本発明の課題は、ポイントカードと携帯端末装置との両方を選択的に利用可能なポイント管理装置を提供することである。
【課題を解決するための手段】
【０００７】
本発明は、以下のような解決手段により、前記課題を解決する。
【０００８】
請求項１の発明は、ポイントの管理を行うポイント管理装置であって、ポイントカード用の固有の情報を読み取るカード用リーダを備える本体と、前記本体に内蔵又は接続され、非接触で非接触通信媒体と情報の授受を行う無線リーダと、を備え、前記本体は、前記カード用リーダと前記無線リーダとのいずれを用いるのかを切り換える切り換え手段を備えること、を特徴とするポイント管理装置である。
請求項２の発明は、請求項１に記載のポイント管理装置において、前記切り換え手段は、前記カード用リーダを用いるときに操作されるカード用リーダ選択スイッチと、前記カード用リーダ選択スイッチとは独立して設けられ、前記無線リーダを用いるときに操作される無線リーダ選択スイッチと、を備えること、を特徴とするポイント管理装置である。
請求項３の発明は、請求項２に記載のポイント管理装置において、前記カード用リーダ選択スイッチ及び前記無線リーダ選択スイッチは、選択された状態において発光するように発光手段を備えること、を特徴とするポイント管理装置である。
請求項４の発明は、請求項３に記載のポイント管理装置において、前記カード用リーダ選択スイッチ及び前記無線リーダ選択スイッチは、データのやり取りを行っている状態において、前記発光手段が点滅すること、を特徴とするポイント管理装置である。
請求項５の発明は、請求項１から請求項４までのいずれか１項に記載のポイント管理装置において、前記本体は、情報の表示を行う表示部を有し、前記表示部は、前記切り換えスイッチの切り換えの状態を表示すること、を特徴とするポイント管理装置である。
【発明の効果】
【０００９】
本発明によれば、ポイント管理装置は、ポイントカードと携帯端末装置との両方を選択的に利用可能とすることができる。
【図面の簡単な説明】
【００１０】
【図１】本発明によるポイント管理装置を用いたポイント管理システムの全体を示す概略図である。
【図２】第１実施形態におけるポイントカード時の本体１００及び無線リーダライタ２００を示す概略斜視図である。
【図３】第１実施形態における無線モード時の本体１００及び無線リーダライタ２００を示す概略斜視図である。
【図４】第１実施形態のポイント管理装置１の構成を示す概略ブロック図である。
【図５】データメモリ１１４に格納されているポイントに関するデータの一例を示す図である。
【図６】第１実施形態のポイント管理装置１の動作の流れの概要を示すフローチャートである。
【図７】第２実施形態におけるポイントカードモード時の本体１００−２及び無線リーダライタ２００を示す概略斜視図である。
【図８】第２実施形態における無線モード時の本体１００及び無線リーダライタ２００を示す概略斜視図である。
【発明を実施するための形態】
【００１１】
以下、本発明を実施するための最良の形態について図面等を参照して説明する。
【００１２】
（第１実施形態）
図１は、本発明によるポイント管理装置を用いたポイント管理システムの全体を示す概略図である。
なお、図１を含め、以下に示す各図は、模式的に示した図であり、各部の大きさ、形状は、理解を容易にするために、適宜誇張して示している。
また、以下の説明では、具体的な数値、形状等を示して説明を行うが、これらは、適宜変更することができる。
【００１３】
本実施形態のポイント管理システムは、本体１００及び無線リーダライタ２００を備えるポイント管理装置１と、キャッシュレジスター３００とを有している。
【００１４】
本体１００は、キャッシュレジスター３００と配線１０１で有線接続されている。また、本体１００は、無線リーダライタ２００と配線１０２で有線接続されている。
【００１５】
無線リーダライタ２００は、例えば、RFID（Radio Frequency IDentification）を用いて後述する携帯端末装置２０等と無線通信により非接触で情報の授受を行う。
【００１６】
キャッシュレジスター３００は、会計時の合計金額を配線１０１を介して本体１００へ伝えることができるように構成されている。また、キャッシュレジスター３００は、会計時にポイントを利用する場合には、利用するポイントに関する情報を本体１００から受け取り、会計処理に反映できるように構成されている。
【００１７】
図２は、第１実施形態におけるポイントカードモード時の本体１００及び無線リーダライタ２００を示す概略斜視図である。
図３は、第１実施形態における無線モード時の本体１００及び無線リーダライタ２００を示す概略斜視図である。
本体１００は、上述した配線１０１，１０２の他、入力部１０３と、表示部１０４と、カード挿入口１０５とを備えている。
【００１８】
入力部１０３は、キー入力部１０３ａと、切り換えスイッチ１０３ｂとを有している。
キー入力部１０３ａは、「０」〜「９」までの数字キー、点検キー、交換キー、販売キー、合計キー、訂正キー、×キー等を有している。また、これらのキーは、文字入力に用いるキー割り当てが行われている。キー入力部１０３ａは、これら各種キーを備えることにより、ポイント利用者の情報登録等に用いられる。
切り換えスイッチ１０３ｂは、ポイントカードモードと無線モードとを切り換える切り換え手段である。
【００１９】
ポイントカードモードとは、カード用リーダとしての機能を備える後述するサーマルヘッド１０６及び磁気ヘッド１０７を用いて、ポイントカード１０をポイント媒体として利用する動作モードである。ポイントカード１０は、カード表面にリライト印刷領域を設けたリライトカードであり、裏面には、磁気領域も備えており、磁気カードとしての機能も有している。
無線モードとは、無線リーダとしての無線リーダライタ２００を用いて、携帯端末装置２０等の非接触通信媒体をポイント媒体として利用する動作モードである。なお、携帯端末装置２０は、店頭で、又は、通信回線を利用して利用者自らが、予めポイント利用の登録や、必要なアプリケーションの設定を済ましているものとする。
ここで、ポイント媒体とは、利用者が所有する媒体であって、利用者のＩＤ（会員番号）を記憶しており、かつ、ポイント残高等を確認可能なように記憶又は記録される媒体を指している。
本実施形態のポイント管理装置１は、ポイントカードモードと無線モードとの２つの動作モードを有しており、切り換えスイッチ１０３ｂを店員が操作することにより、選択された動作モードの動作を行う。
【００２０】
本実施形態の切り換えスイッチ１０３ｂには、押した状態でロックされ、もう一度押すともとに戻るように構成された押しボタンスイッチを用いている。図２のように切り換えスイッチ１０３ｂが突出した状態では、ポイントカードモードが選択されており、図３のように切り換えスイッチ１０３ｂが押し込まれた状態では、無線モードが選択されている。
また、切り換えスイッチ１０３ｂは、キー入力部１０３ａから離れた位置に配置されており、キー入力部１０３ａの各入力キーよりも大きく形成されている。切り換えスイッチ１０３ｂは、ポイントサービスを利用する度に操作されるものであることから、本実施形態では、操作性をよくするために、切り換えスイッチ１０３ｂを上述した配置及び大きさとしている。
【００２１】
表示部１０４は、キー入力部１０３ａによる入力操作を行っているとき等に各種情報を表示する液晶表示装置等のディスプレイ装置である。また、表示部１０４は、切り換えスイッチ１０３ｂが操作されて選択されている動作モード、すなわち、ポイントカードモードであるのか、無線モードであるのかを、図２及び図３に示すように表示する。
【００２２】
カード挿入口１０５は、ポイントカードモード時に、ポイントカード１０を挿入する開口部である。ポイントカードモード時には、図２に示すように、カード挿入口１０５にポイントカード１０を挿入して、ポイント処理を行う。なお、ポイント処理が終了した後は、このカード挿入口１０５からポイントカード１０が排出される。
一方、無線モード時には、図３に示すようにスマートフォン等の携帯端末装置２０を無線リーダライタ２００にかざして、ポイント処理を行う。
【００２３】
図４は、第１実施形態のポイント管理装置１の構成を示す概略ブロック図である。
本体１００は、内部に、カードセンサ１０５ａと、サーマルヘッド１０６と、磁気ヘッド１０７と、駆動ローラ１０８と、通信アダプタ１０９と、制御部１１０とを備えている。
【００２４】
カードセンサ１０５ａは、カード挿入口１０５の内部に配置されており、カード挿入口１０５に挿入されたポイントカード１０を光学的に検出する光センサである。
【００２５】
サーマルヘッド１０６は、ポイントカード１０のリライト印刷領域を加熱することにより今回ポイントやポイント有効期限等を書き換える。ポイントカード１０のリライト印刷領域には、所定の薬品が塗布されており、サーマルヘッド１０６により、所定温度の熱を加えることにより、繰り返し、消去、書き換えが可能である。なお、本実施形態のサーマルヘッド１０６は、ロイコ式、及び、白濁式の両方のリライト印刷の方式に対応可能である。
【００２６】
磁気ヘッド１０７は、ポイントカード１０の磁気記録部に対して固有の情報の読み取りを行う。
駆動ローラ１０８は、不図示のモータから駆動力を得てポイントカード１０の搬送を行うローラである。
通信アダプタ１０９は、キャッシュレジスター３００と通信を行う。
【００２７】
制御部１１０は、ヘッド駆動回路１１１と、記録再生駆動回路１１２と、ローラ駆動回路１１３と、データメモリ１１４と、ＭＰＵ１１５と、ＲＯＭ１１６と、ＲＡＭ１１７と、データバス１１８とを備えている。
【００２８】
ヘッド駆動回路１１１は、サーマルヘッド１０６に対して印刷動作を行わせる。
記録再生駆動回路１１２は、磁気ヘッド１０７に対し、ポイントカード１０のデータの読み取りや書き込みを行わせる。
ローラ駆動回路１１３は、駆動ローラ１０８を駆動させる。
【００２９】
データメモリ１１４には、ポイントに関するデータが格納されている。
図５は、データメモリ１１４に格納されているポイントに関するデータの一例を示す図である。
図５に示す例では、「会員Ｎｏ．」と、「有効期限」と、「最終利用日」と、「今回ポイント」と、「累計ポイント」とがポイントサービスの会員毎に設けられている。
「会員Ｎｏ．」は、会員毎に割り振られる固有の番号（ＩＤ）である。ポイントカード１０及び携帯端末装置２０には、少なくともこの「会員Ｎｏ．」に相当するＩＤが格納されており、このＩＤにポイントのデータを紐付けている。「有効期限」は、会員が有するポイントの有効期限である。「最終利用日」は、直近で最後にポイントサービスを利用した年月日である。「今回ポイント」は、直近で最後にポイントサービスを利用したときに付与されたポイントである。「累計ポイント」は、現在までに蓄積されたポイントの総額である。
【００３０】
図４に戻って、ＭＰＵ１１５は、切り換えスイッチ１０３ｂによりポイントカードモードが選択されている場合に、カードセンサ１０５ａによってポイントカード１０が検出されると、所定のプログラムにしたがってポイントカードモードの動作を制御する。一方、ＭＰＵ１１５は、切り換えスイッチ１０３ｂにより無線モードが選択されている場合に、所定のプログラムにしたがって無線モードの動作を制御する。
【００３１】
ＲＯＭ１１６には、ＭＰＵ１１５の制御に必要なプログラム等が格納されている。
ＲＡＭ１１７には、ポイントカード１０に印刷、又は、携帯端末装置２０に送信すべきポイントに関する各種データが格納される。
【００３２】
データバス１１８は、上述した制御部１１０の各部を接続している。また、データバス１１８には、無線リーダライタ２００が接続されている。無線リーダライタ２００内には、無線通信回路２０１と、アンテナ２０２とが設けられている。
【００３３】
図６は、第１実施形態のポイント管理装置１の動作の流れの概要を示すフローチャートである。
【００３４】
ステップ（以下、Ｓとする）１１０では、制御部１１０は、切り換えスイッチ１０３ｂの選択状態を確認する。切り換えスイッチ１０３ｂが、ポイントカードモードが選択された状態（突出状態）になっている場合には、Ｓ１１１へ進む。一方、切り換えスイッチ１０３ｂが、無線モードが選択された状態（押し込み状態）になっている場合には、Ｓ１１９へ進む。
【００３５】
Ｓ１１１では、制御部１１０は、表示部１０４に「ポイントカード」と表示を行う。
【００３６】
Ｓ１１２では、制御部１１０は、カード挿入口１０５にポイントカード１０が挿入されたか否かを、カードセンサ１０５ａからの出力に基づいて判断する。カード挿入口１０５にポイントカード１０が挿入された場合には、Ｓ１１３へ進む。カード挿入口１０５にポイントカード１０が挿入されていない場合には、このステップの判断を繰り返す。
【００３７】
Ｓ１１３では、制御部１１０は、ポイントカード１０から磁気ヘッド１０７を用いてＩＤ（会員Ｎｏ．）の読み取りに成功したか否かの判断を行う。ＩＤの読み取りに成功した場合には、Ｓ１１４へ進む。ＩＤの読み取りに成功していない場合には、Ｓ１１８へ進み、エラー処理を行った後、Ｓ１１７へ進む。
【００３８】
Ｓ１１４では、制御部１１０は、ポイント処理を行う。例えば、商品購入金額の合計が１０００円であったとする。また、ポイントの付与率が、合計額の１０％であるとする。この場合、制御部１１０は、キャッシュレジスター３００から商品購入金額の合計額が１０００円であることを示すデータを受け取る。制御部１１０は、この１０００円に１０％を掛けて、今回ポイントとして１００ポイントという演算結果を得る。また、それまでの累計ポイントに今回ポイントを加えて、新たな累計ポイントを算出する。
【００３９】
Ｓ１１５では、制御部１１０は、サーマルヘッド１０６に対して、ポイントカード１０のリライト印刷領域において、以前の印刷を消去して、新たに、今回ポイントやポイント有効期限等の印刷を行わせる。
【００４０】
Ｓ１１６では、制御部１１０は、データメモリ１１４の該当する会員のデータを、新たなポイントデータにより更新する。
【００４１】
Ｓ１１７では、制御部１１０は、ポイントカード１０を排出させる。
【００４２】
Ｓ１１９では、制御部１１０は、表示部１０４に「無線」と表示を行う。
【００４３】
Ｓ１２０では、制御部１１０は、無線リーダライタ２００により携帯端末装置２０との無線通信が成功したか否かの判断を行う。利用者が携帯端末装置２０を無線リーダライタ２００に適切にかざすことにより、通信が成功した場合には、Ｓ１２１へ進む。一方、利用者が携帯端末装置２０を無線リーダライタ２００に適切にかざしていない等により、通信が成功していない場合には、このステップの判断を繰り返す。
【００４４】
Ｓ１２１では、制御部１１０は、携帯端末装置２０から無線通信によりＩＤ（会員Ｎｏ．）の読み取りに成功したか否かの判断を行う。ＩＤの読み取りに成功した場合には、Ｓ１２２へ進む。ＩＤの読み取りに成功していない場合には、Ｓ１２５へ進み、エラー処理を行った後、処理を終了する。
【００４５】
Ｓ１２２では、制御部１１０は、ポイント処理を行う。この処理は、前述のＳ１１４と同様な処理であるので、詳しい説明は省略する。
【００４６】
Ｓ１２３では、制御部１１０は、スマートフォン等の携帯端末装置２０に対して今回ポイントやポイント有効期限等の新しいポイントデータの更新を行う。この処理により、携帯端末装置２０が最新のポイントデータを格納することになり、利用者は、専用のアプリケーションを利用することにより、保有しているポイントに関するデータをいつでも閲覧することができる。
【００４７】
Ｓ１２４では、制御部１１０は、データメモリ１１４の該当する会員のデータを、新たなポイントデータにより更新する。
【００４８】
以上説明したように、第１実施形態によれば、ポイント管理装置１は、切り換えスイッチ１０３ｂによりポイントカードモードと無線モードとを簡単に切り換えることができる。よって、簡単な構成によって、ポイントカードと携帯端末装置との両方を利用可能なポイントサービスを提供できる。また、切り換えスイッチ１０３ｂは、押した状態でロックされ、もう一度押すともとに戻るように構成された押しボタンスイッチであるので、ボタンを見ただけでも、どちらのモードが選択されているのかが分かりやすい。さらに、表示部１０４に選択されているモードを表示するので、選択されているモードを確実に店員等が把握できる。
【００４９】
（第２実施形態）
図７は、第２実施形態におけるポイントカードモード時の本体１００−２及び無線リーダライタ２００を示す概略斜視図である。
図８は、第２実施形態における無線モード時の本体１００及び無線リーダライタ２００を示す概略斜視図である。
第２実施形態のポイント管理装置２は、第１実施形態の切り換えスイッチ１０３ｂに代えて、カード用リーダ選択スイッチ１０３ｃ及び無線リーダ選択スイッチ１０３ｄを切り換えスイッチとして設けている。また、これらに対応した第１のＬＥＤ１１９及び第２のＬＥＤ１２０を発光手段として有する。これらの他、第２実施形態のポイント管理装置２の構成は、第１実施形態のポイント管理装置１と同様な構成をしている。よって、前述した第１実施形態と同様の機能を果たす部分には、同一の符号を付して、重複する説明を適宜省略する。
【００５０】
第２実施形態の本体１００−２は、上述したように、カード用リーダ選択スイッチ１０３ｃ及び無線リーダ選択スイッチ１０３ｄを、ポイントカードモードと無線モードとを切り換える切り換えスイッチとして有している。
【００５１】
カード用リーダ選択スイッチ１０３ｃは、ポイントカードモードを選択するときに操作されるスイッチである。カード用リーダ選択スイッチ１０３ｃは、押しボタンスイッチであるが、第１実施形態の切り替えスイッチ１０３ｂのように押し込まれた位置を保持するような機構は不要である。カード用リーダ選択スイッチ１０３ｃは、透光性を有する材料により形成されている。カード用リーダ選択スイッチ１０３ｃの内部には、第１のＬＥＤ１１９が取り付けられている。この第１のＬＥＤ１１９は、カード用リーダ選択スイッチ１０３ｃが押されてポイントカードモードが選択された状態において発光する。よって、カード用リーダ選択スイッチ１０３ｃは、ポイントカードモードが選択された状態において発光することになり、利用者は、ポイントカードモードが選択されたことを確実に認識できる。また、第１のＬＥＤ１１９は、ポイントカード１０に対する読み書き及び印刷動作時には、点滅することにより、利用者に動作中であることを知らせる。
【００５２】
無線リーダ選択スイッチ１０３ｄは、無線モードを選択するときに操作されるスイッチである。無線リーダ選択スイッチ１０３ｄは、カード用リーダ選択スイッチ１０３ｃとは独立して設けられており、両者の押し間違いを防止し、操作性を良好にしている。無線リーダ選択スイッチ１０３ｄは、押しボタンスイッチであるが、第１実施形態の切り替えスイッチ１０３ｂのように押し込まれた位置を保持するような機構は不要である。無線リーダ選択スイッチ１０３ｄは、透光性を有する材料により形成されている。無線リーダ選択スイッチ１０３ｄの内部には、第２のＬＥＤ１２０が取り付けられている。この第２のＬＥＤ１２０は、無線リーダ選択スイッチ１０３ｄが押されて無線モードが選択された状態において発光する。よって、無線リーダ選択スイッチ１０３ｄは、無線モードが選択された状態において発光することになり、利用者は、無線モードが選択されたことを確実に認識できる。また、第２のＬＥＤ１２０は、携帯端末装置２０に対する読み書き動作時には、点滅することにより、利用者に動作中であることを知らせる。
【００５３】
以上説明したように、第２実施形態によれば、ポイント管理装置２は、カード用リーダ選択スイッチ１０３ｃ及び無線リーダ選択スイッチ１０３ｄを切り換えスイッチとしてそれぞれ独立して設けている。また、これらのスイッチが選択された状態では、第１のＬＥＤ１１９又は第２のＬＥＤ１２０が発光又は点滅して、選択された動作モードを分かりやすく表示する。よって、利用者は、動作モードの選択をより簡単に行える上、動作モードの確認もより分かりやすく確実に行える。
【００５４】
（変形形態）
以上説明した実施形態に限定されることなく、種々の変形や変更が可能であって、それらも本発明の範囲内である。
【００５５】
各実施形態において、ポイント管理装置は、キャッシュレジスターが接続されており、キャッシュレジスターから合計金額のデータを受け取る例を挙げて説明した。これに限らず、例えば、ポイント管理装置は、キャッシュレジスターが接続されていないスタンドアローンの形態であってもよい。この場合、店員は、合計金額を本体の入力部により入力すればよい。
【００５６】
各実施形態において、ポイントに関する各種データを格納するデータメモリは、本体に内蔵されている例を挙げて説明した。これに限らず、例えば、本体をネットワーク接続して、本体外のサーバ等にデータメモリを設けてもよい。
【００５７】
各実施形態において、切り換えスイッチは、押しボタンスイッチである例を挙げて説明した。これに限らず、切り換えスイッチは、スライドスイッチや、トグルスイッチ等、他の形態のスイッチとしてもよい。
【００５８】
各実施形態において、ポイントカードは、磁気記録によりＩＤが記録されている例を挙げて説明した。これに限らず、例えば、ポイントカードは、ＩＤをバーコード等により表面に印刷表示するものであってもよい。
また、ポイントカードとして書き換えできるリライトカードとして説明したが、書き換えできないポイントカードであってもよい。
また、切り換え手段によりポイントカードモードに切り換えた場合には、無線通信回路を電気的に切断することができ、無線モードに切り換えた場合には、カードセンサを電気的に切断することができるようにしてもよく、これにより電気の削減することができる。さらに、制御部にタイマー回路を設け、切り換え手段の操作から一定時間を経過することにより、カードセンサ、無線通信回路の両方を切断するエコモードとすることができ、さらに省エネに貢献することができる。尚、エコモード時に切り換え手段を操作することよりエコモードから読み取りモードに復帰することができる。
【００５９】
各実施形態において、携帯端末装置として、いわゆるスマートフォンを例に挙げて説明した。これに限らず、例えば、いわゆるフューチャーフォンと呼ばれるタイプの従来からの携帯電話であってもよく、携帯可能で無線リーダライタと通信可能な非接触通信媒体であれば、どのようなものであってもよい。
【００６０】
各実施形態において、無線モード時に、店員が操作する本体には表示等を行い、利用者（顧客）に対して無線リーダライタが利用可能であることを知らせる表示等を特に行わない例を挙げて説明した。これに限らず、例えば、無線リーダライタの読み取り面に発光部や表示部を設けて、これを発光させたり、表示したりして、利用可能である状態を利用者に示してもよい。
【００６１】
各実施形態において、無線リーダライタは、本体とは別の筐体に形成されており、これらを接続して用いる例を挙げて説明した。これに限らず、例えば、無線リーダライタの構成及び機能を本体に内蔵してもよい。
【００６２】
なお、各実施形態及び変形形態は、適宜組み合わせて用いることもできるが、詳細な説明は省略する。また、本発明は以上説明した各実施形態によって限定されることはない。
【符号の説明】
【００６３】
１，２    ポイント管理装置
１０      ポイントカード
２０      携帯端末装置
１００，１００−２  本体
１０１，１０２  配線
１０３    入力部
１０３ａ  キー入力部
１０３ｂ  スイッチ
１０３ｃ  カード用リーダ選択スイッチ
１０３ｄ  無線リーダ選択スイッチ
１０４    表示部
１１０    制御部
１１４    データメモリ
１１９    第１のＬＥＤ
１２０    第２のＬＥＤ
１２１    ＬＥＤ駆動回路
２００    無線リーダライタ
２０１    無線通信回路
２０２    アンテナ
３００    キャッシュレジスター
【図１】
2014010518.tif 000003
【図２】
2014010518.tif 000004
【図３】
2014010518.tif 000005
【図４】
2014010518.tif 000006
【図５】
2014010518.tif 000007
【図６】
2014010518.tif 000008
【図７】
2014010518.tif 000009
【図８】
2014010518.tif 000010